(57)【要約】  本発明は、第１色の色合いを示す液体を収容するのに適合した透明又は半透明の容器と、該第１色と異なる第２色の色合いを示す該容器に収容される液体とを含み、該容器の該第１色の色合い及び該液体の該第２色の色合いが、該色付け液体を充填したとき前記色付け容器が第３色の色合いを有する外観を示すように協働する充填包装を目的とする。【特許請求の範囲】
【請求項１】
（ａ）第１色の色合いを示す液体を収容するのに適合した透明又は半透明の容器と、
（ｂ）該第１色と異なる第２色の色合いを示す該容器に収容される液体と
を含み、該容器の該第１色の色合い及び該液体の該第２色の色合いが、該色付け液体を充填したとき該色付け容器が第３色の色合いを有する外観を示すように協働する、充填包装。
【請求項２】
前記色付け液体を充填したとき前記色付け容器が第３色の色合いを有する外観を示し、更に前記色付け液体が透明な外観、半透明な外観又は不透明な外観、及びこれらの混合物からなる群から選択される外観を示す、請求項１に記載の充填包装。
【請求項３】
前記色付け液体が、透明な外観を示す、請求項２に記載の充填包装。
【請求項４】
前記色付け液体が、半透明な外観を示す、請求項２に記載の充填包装。
【請求項５】
前記色付け液体が、不透明な外観を示す、請求項２に記載の充填包装。
【請求項６】
前記充填包装が、前記第３色の色合いと同じ色を有するキャップを備える、請求項１に記載の充填包装。
【請求項７】
前記第３色の色合いが、前記充填包装の調整香料と適合する、請求項１に記載の充填包装。
【請求項８】
前記液体が、パーソナルケア組成物である、請求項１に記載の充填包装。
【請求項９】
前記容器が、プラスチックで作製される、請求項１に記載の充填包装。
【請求項１０】
前記容器を構成する材料が、ポリエチレンテレフタレート、グリコール変性ポリエチレンテレフタレートコポリマー、押出可能なポリエチレンテレフタレート、ポリ塩化ビニル、配向ポリプロピレン、ポリカーボネート、ポリスチレン、高密度ポリエチレン及び低密度ポリエチレンから成る群から選択される、請求項６に記載の充填容器。
【請求項１１】
前記充填包装が、瓶を通して見える図形を含むバックラベルを備え、該図形が前記液体の第２色の色合いと同じ色である、請求項１に記載の充填包装。
【請求項１２】
前記第２色の色合いレベルを変えることで製品種類又は製品型を見分けることとする、請求項１に記載の充填包装。
【請求項１３】
前記第２色の不透明度を変えることで製品種類又は製品型を見分けることとする、請求項１に記載の充填包装。
【請求項１４】
前記第１色の色合いレベルを変えることで製品種類又は製品型を見分けることとする、請求項１に記載の充填包装。
【請求項１５】
前記透明又は半透明の容器が第１色の色合いを示し、液体が前記第１色と異なる第２色の色合いを示し、前記容器の第１色の色合いと前記液体の第２色の色合いが前記色付け液体を充填したとき前記色付け容器が第３色の色合いを有する外観を示すように協働し、更に前記充填包装内に残った液体量の目に見える指標を提供する、請求項１に記載の充填包装。
【請求項１６】
前記透明又は半透明な容器の前記第１色の色合いを選択して製品群利益を知らせ、更に前記液体の前記第２色の色合いを選択して製品型を知らせ、前記色付け液体で充填されたとき前記色付け容器が第３色の色合いを有する外観を示して製品型を知らせる、請求項１に記載の充填包装。
【請求項１７】
前記液体が、２つ又はそれ以上の視覚的に異なる相を含む、請求項１に記載の充填包装。
【請求項１８】
前記液体が、ビーズ、ストライプ、又は模様を含む、請求項１に記載の充填包装。
【請求項１９】
前記透明又は半透明な容器が、第３色の色合いを有する外観を示す前記色付け液体を充填したとき前記色付け容器に付与する色を有するバックラベルを備える、請求項１に記載の充填包装。
【請求項２０】
色を有する前記バックラベルが、製品型を知らせる、請求項１９に記載の充填包装。
【請求項２１】
第１色の色合いを示す前記透明又は半透明な容器が、更に揺らめく光（ｓｈｉｍｍｅｒ）を備える、請求項１に記載の充填包装。
【請求項２２】
第１色の色合いを示す前記透明又は半透明な容器が、更に閃光（ｓｐａｒｋｌｅ）を備える、請求項１に記載の充填包装。
【請求項２３】
第１色の色合いを示す前記透明又は半透明な容器が、更に揺らめく光（ｓｈｉｍｍｅｒ）を備え、第２色の色合いを示す前記液体が、揺らめく光（ｓｈｉｍｍｅｒ）を備える、請求項１に記載の充填包装。
【請求項２４】
第１色の色合いを示す前記透明又は半透明な容器が、更に閃光（ｓｐａｒｋｌｅ）を備え、第２色の色合いを示す前記液体が、揺らめく光（ｓｈｉｍｍｅｒ）を備える、請求項１に記載の充填包装。
【発明の詳細な説明】
【技術分野】
【０００１】
本発明は、第２色の色付け液体を充填した第１色の透明又は半透明色付け容器、特に色付け液体を充填したとき第３色の色合いを有する外観を示す前記透明又は半透明色付け容器に関する。
【背景技術】
【０００２】
小売店の棚の製品を収容し展示する有効で人目を引く包装は、消費者に対してその製品ブランドおよび包装を独特で忘れ難いものとするため、長い間製品製造業者の目標であった。製品容器の変形物が、ほとんど絶え間なく何年間も開発されている。最も成功した製品容器は、通りすがりの消費者の目を引くよう設計され、幾つかは、容器内の製品を直接見ることができる透明又は半透明の部分で製作される。実のところ、その製品を見せる透明又は半透明の容器が、消費者に製品を購入させる誘因として特に有効であることがわかった。加えて、多くの製品容器は、製品使用時、快適、独特及び忘れ難い体験を消費者に提供する物質的な特徴を備えて設計されている。このことが消費者に肯定的な動機を持たせ、製品を再購入することになる。
【０００３】
消費者に視覚的に望まれる液体製品を提供するため、製造業者は、液体製品の外観、容器又は両方をしばしば変更する。特に消費者に魅力的でない色を示す液体製品は、多くの場合色付けされた不透明なプラスチック容器に包装される。色付けされた不透明なプラスチック容器は、それほど魅力的でない液体製品をカバー又は覆い隠すことにより視覚的に魅力がある外観を消費者に提供する。他の液体製品は、透明なプラスチック容器に包装される。液体製品は、充填包装されたものが液状石鹸の色合いを示すように濃密に色付けされる。透明なプラスチック容器内に収容された濃密に色付けされた液体製品は、視覚的に感じの良い外観を消費者に提供する。液体製品に関するもう１つの別の包装は、無色透明な外観を示す充填包装を提供することである。無色透明な包装は、消費者に特に魅力低な外観を提供する。
【０００４】
だが、更なる液体製品及び容器が、色融合、すなわち要素を統一した全体に同化する及び消費者の喜びを備えることができることが今では発見されている。第１色の色合いを示す透明な容器に、第１色の色合いとは異なる第２色の色合いの透明液体を充填した場合、、容器の第１色の色合いと前記液体の第２色の色合いとの協働により、色つき容器が色つき液体で満たされると、その結果、容器は第３色の色合いの透明な外観を示すという色融合の発生が現在判明している。
【０００５】
そのような表示は、比類なく通りすがりの消費者の目を引き、従って、いや応なく容器で販売される製品ブランドの売上増加に至る。加えて、製品使用を通じて色融合及び色融合の個々の要素を消費者に繰返し見せることで、ブランド及び製品をより独特で忘れ難いものにつなげることができる。本発明は、まさにそのような充填包装の提供を目的とする。
【発明の開示】
【発明が解決しようとする課題】
【０００６】
それ故に、本発明の目的は、第１色の透明色付け液体を充填している透明色付け容器、及び特に第２色の透明色付け液体を充填したとき第３色の色合いを有する透明な外観を示す前記透明色付け容器を提供することにある。
【課題を解決するための手段】
【０００７】
本発明は、第１色の色合いを示し液体を収容するのに適合した透明又は半透明の容器と、該第１色と異なる第２色の色合いを示す該容器に収容される液体とを含み、該容器の該第１色の色合い及び該液体の該第２色の色合いが、該色付け液体を充填したとき該色付け容器が第３色の色合いを有する外観を示すように協働する充填包装を目的とする。
【発明を実施するための最良の形態】
【０００８】
本発明を特に指摘し、そして明確に特許請求している特許請求の範囲をもって本明細書は終了するが、本発明は以下の説明からより良く理解されると考えられる。
【０００９】
本発明の実施形態は、第１色の色合いを示し液体を収容するのに適合した透明又は半透明の容器と該第１色と異なる第２色の色合いを示し該容器に収容される液体とを含み、前記容器の前記第１色の色合い及び該液体の該第２色の色合いが、該色付け液体を充填したとき該色付け容器が第３色の色合いを有する外観を示すように協働する充填包装を提供する。
【００１０】
本発明の更なる実施形態は、第１色の色合いを示し液体を収容するのに適合した透明又は半透明の容器と、前記第１色と異なる第２色の色合いを示し前記容器に収容される液体とを含み、前記容器の前記第１色の色合い及び前記液体の前記第２色の色合いが、前記色付け液体を充填したとき前記色付け容器が第３色の色合いを有する外観を示すように協働し、更に前記色付け液体が透明な外観、半透明な外観又は不透明な外観、及びこれらの混合物からなる群から選択される外観を示す充填包装を提供する。
【００１１】
本発明の実施形態は、第１色の色合いを示し液体を収容するのに適合した透明又は半透明の容器と、前記第１色と異なる第２色の色合いを示し前記容器に収容される液体とを含み、前記容器の前記第１色の色合い及び前記液体の前記第２色の色合いが、前記色付け液体を充填したとき前記色付け容器が第３色の色合いを有する外観を示すように協働する充填包装を提供し、前記充填包装が、前記第３色の色合いと同じ色を有するキャップを備える。
【００１２】
本発明の実施形態は、第１色の色合いを示し液体を収容するのに適合した透明又は半透明の容器と、前記第１色と異なる第２色の色合いを示し前記容器に収容される液体とを含み、前記容器の前記第１色の色合い及び前記液体の前記第２色の色合いが、前記色付け液体を充填したとき前記色付け容器が第３色の色合いを有する外観を示すように協働し、前記第３色の色合いが、前記充填包装の調製香料と適合する充填包装を提供する。
【００１３】
本発明の実施形態は、第１色の色合いを示し液体を収容するのに適合した透明又は半透明の容器と、前記第１色と異なる第２色の色合いを示す該容器に収容される液体とを含み、該容器の該第１色の色合い及び該液体の該第２色の色合いが、該色付け液体を充填したとき該色付け容器が第３色の色合いを有する外観を示すように協働する充填包装を提供し、前記充填包装が、瓶を通して見える図形を含むバックラベルを備え、前記図形は、該液体の該第２色の色合いと同じ色である。前記実施形態において、このことが、棚上では消費者が見てすぐにわからないが、消費者が充填包装を使用し始めると液体のレベルが前記容器内で減少するにつれて図形が現れる図形を提供することになる。
【００１４】
本発明の更なる実施形態は、第１色の色合いを示し液体を収容するのに適合した透明又は半透明の容器と、前記第１色と異なる第２色の色合いを示す該容器に収容される液体とを含み、該容器の該第１色の色合い及び該液体の該第２色の色合いが、該色付け液体を充填したとき該色付け容器が第３色の色合いを有する外観を示すように協働し、該第２色の色合いレベルを変えることで製品種類、製品形態又は製品型を見分けることになる充填包装を提供する。非限定的な実施例では、シャンプー製品とコンディショナー製品を区別するため２つの製品液体を異なる色合いレベルで色付けでき、その結果、棚上の第３色の色合いがシャンプー製品形態とコンディショナー製品形態で異なって見えることになる。更なる実施形態では、液体の第２色の不透明度のレベル又は不透明なもののレベルを変えることで製品種類、製品形態又は製品型を見分けることになる。
【００１５】
本発明の更なる実施形態は、第１色の色合いを示し液体を収容するのに適合した透明又は半透明の容器と、前記第１色と異なる第２色の色合いを示す該容器に収容される液体とを含み、該容器の該第１色の色合い及び該液体の前記第２色の色合いが、該色付け液体を充填したとき該色付け容器が第３色の色合いを有する外観を示すように協働し、更に第１色の色合いレベルを変えることで製品形態又は製品種類を見分けることになる充填包装を提供する。非限定的な実施例では、シャンプー製品とコンディショナー製品を区別するため２つの液体を同じ色合いレベルで色付けできるが、第１色の色合いレベルである容器のそれは、２つの製品間で一様でない。従って、棚上で、第３色の色合いは、シャンプー製品形態とコンディショナー製品形態について異なって見えることになる。
【００１６】
本発明の実施形態において、透明又は半透明の容器の第１色の色合いを選択して製品グループ又は製品群の利益を知らせることができ、更に液体の第２色の色合いを選択して製品型を知らせることができ、色付け液体を充填した色付け容器が第３色の色合いを有する外観を示し更に製品型を知らせる。前記製品グループ又は製品群の利益例の非限定的な実施例は、価格列群、ふけ止め等のトリートメント群及び毛髪色群である。製品型の非限定的な実施例は、ストレート毛髪、ウェーブ毛髪、カールした毛髪、金髪、褐色又は赤毛髪、乾燥した毛髪及び油っぽい毛髪となる。前記型は、毛髪の型に対し又は容量の提供等の最終利益に向けられてよい。
【００１７】
本発明の他の実施形態は、第１色の色合いを示し液体を収容するのに適合した透明又は半透明の容器と、前記第１色と異なる第２色の色合いを示す該容器に収容される液体とを含み、該容器の該第１色の色合い及び該液体の該第２色の色合いが、該色付け液体を充填したとき該色付け容器が第３色の色合いを有する外観を示すように協働し、更に前記充填包装内に残った液体量の目に見える指標を備える充填包装を提供する。例えば、本発明は、満たされていない要求に対する対策を提供できる。消費者が無色の液体と組合せて無色の透明な容器を使用するとき、この容器内の液体の量又はレベルに対して明瞭かつ明確な読みを実現することは困難な場合がある。本発明は、容器内の液体の量又はレベルの明確な指標に透明又は半透明の容器の第１色の色合いと第２色の色合いを有する液体との組合せを提供する、それにより第３色の色合いを有する外観を提供し、充填包装内に残った液体製品の量の明確に目に見える指標を提供する。
【００１８】
本発明の更なる実施形態において、充填包装は、２つ又はそれ以上の視覚的に異なる相を備える液体を含むことができる。更に、実施形態において、充填包装は、ビーズ、ストライプ、又は模様を備える液体を含むことができる。非限定的な実施例では、液体は白く色付けされているビーズを含むことができ、前記液体は、液体の色合いと容器の色合いを組合せることができ、それによって前記ビーズの外観を最小限にし又は最大限にする。
【００１９】
本発明の実施形態において、第１色の色合いを示す透明又は半透明の容器は、更に揺らめく光（ｓｈｉｍｍｅｒ）を備えることができる。又、第１色の色合いを示す透明又は半透明の容器は、更に揺らめく光（ｓｈｉｍｍｅｒ）又は閃光（ｓｐａｒｋｌｅ）を備えることができ、第２色の色合いを示す液体は揺らめく光（ｓｈｉｍｍｅｒ）を備える。この実施形態において、容器内の揺らめく光（ｓｈｉｍｍｅｒ）又は閃光（ｓｐａｒｋｌｅ）と液体の揺らめく光（ｓｈｉｍｍｅｒ）との融合は、製品種類又は製品型の合図の提供に加え充填包装の透明、半透明又は不透明度を強化できる。揺らめく光（ｓｈｉｍｍｅｒ）を備える液体は、非限定的な実施例として雲母及び／又は二酸化チタンを加えることにより製作できる。
【００２０】
更なる実施形態において、本発明は、シャンンプー、コンディショナー、スタイリング、スキンケア及びクレンジング製品、布地ケア製品、ホームケア製品、ヘルスケア製品、乳児ケア製品及び食品等のパーソナルケア製品の一般的な領域に使用できる。
【００２１】
本発明は、本明細書に記載した発明の必須要素及び制限事項、並びに本明細書に記載した追加若しくは任意の成分、成分又は制限事項のいずれも含むことができ、これらから成ることができ、又はこれらから本質的に成ることができる。
【００２２】
百分率、部分及び比率はすべて、特に指定されない限り本発明の組成物の総重量に基づいている。提示した成分に関するこのような重量は全て活性物質の濃度に基づいており、したがって市販材料に含まれる可能性があるキャリア又は副生成物を含まない。
【００２３】
本発明の様々な実施形態の、任意に追加し得るものを含めた構成成分及び／又は工程について、以下で詳細に説明する。
【００２４】
引用する全ての文書は、関連部分において本明細書に参考として組み込まれるが、いかなる文書の引用も、それが本発明に関して先行技術であるということの承認として解釈すべきではない。
【００２５】
特に記載のない限り、全ての比率は重量比である。
特に記載のない限り、全ての温度は摂氏である。
【００２６】
特に記載する場合を除き、分量、百分率、部分、及び割合を含めた全ての量は、「約」という言葉によって加減されるものと理解し、量は、有効数字を示すことを意図したものではない。
【００２７】
特に記載する場合を除き、冠詞「ａ」、「ａｎ」及び「ｔｈｅ」は「１つ以上」を意味する。
【００２８】
本明細書では、「含む」とは、最終結果に影響を及ぼさない他の工程及び他の成分を加えることができることを意味する。この用語には、「から成る」及び「から本質的に成る」という用語が包含される。本発明の組成物及び方法／プロセスは、本明細書に記載する本発明の必須要素及び制限、並びに本明細書に記載する追加の若しくは任意の成分、構成要素、工程、又は制限のいずれかを含み、これらから成り、及びこれらから本質的に成ることができる。
【００２９】
本明細書において「有効な」とは、処理する状態の著しく好ましい改善をもたらすのに十分高い対象活性物質の量を意味する。対象活性物質の有効量は、処理する特定の状態、状態の深刻さ、状態の期間、併用している状態の性質及び同様の要因により変化する。
【００３０】
本発明の容器は、任意の周知の従来の材料で作製できる。１つの実施形態において、容器は、好ましくはポリエチレンテレフタレート（ＰＥＴ）等の合成樹脂で作製される。容器は、グリコール変性ＰＥＴコポリマー（ＰＥＴＧ）、ポリカーボネート、押出ポリエチレンテレフタレート（ＥＰＥＴ）、ポリ塩化ビニル（ＰＶＣ）、ポリプロピレン（ＰＰ、ポリスチレン、高密度ポリエチレン（ＨＤＰＥ）、低密度ポリエチレン（ＬＤＰＥ）又は透明若しくは半透明の外観を示す任意の他の好適な合成樹脂等の他の樹脂で作製されてもよい。本体が、任意の形状、例えば、円筒形、円形、正方形、楕円形等であってよいことは当業者には明白である。
【００３１】
容器が透明及び／又は半透明の外観を示す限り、任意の従来のポリマー類で容器を作ることができる。透明の外観には、ポリエチレンテレフタレートの使用が好ましい。半透明の外観は、材料の壁の厚さ、表面形状（すなわち、表面の平滑性又は均一性を抑えれば抑えるほど、材料は透明性を失うか、より半透明から不透明になる）、透明な容器の処理、染料、顔料、真珠箔（非限定例、寸法が５−５０μ寸法範囲の雲母又はシリカ粒子）又は閃光（ｓｐａｒｋｌｅ）及び／又は揺らめく光（ｓｈｉｍｍｅｒ）剤（非限定例、５０〜７５μ寸法範囲のシリカから作製された大きい目に見える粒子）等の成分のベースポリマーへの添加、清澄剤が混合できるポリプロピレン及び／又はポリエチレンの使用、又は半透明の外観を示すラベル若しくは収縮性フィルムの使用の非限定的な実施例により実現できる。非限定的な実施例では、半透明の収縮性フィルム又は収縮性スリーブを使用し容器の色又は色合い外観を実現できる。処理としては、スプレーコーティング（非限定例、微細粒子を容器の表面にスプレーし容器を微細粒子でコーティングすることにより容器は半透明の外観を示す）、サンドブラスチング及び金型表面処理（非限定例では金型の表面に微細な起伏を形成し、金型内で作製された容器は、表面に微細な起伏を有するが、これにより容器は半透明の外観を示す）の非限定的な実施例が挙げられる。
【００３２】
本発明の実施形態において、半透明の外観は、容器内への十分な光を可能にし、液体製品の色付けされた色を容器の色付けされた色と融合させ製品の所望の第３色の放出を可能にするが、消費者は容器の壁を通して完全には見ることはできない。半透明の外観は、液体製品の向こうの物体を明瞭に見ることができないものであってよい。他の実施形態において、透明の外観は、消費者が容器の壁を通して完全に見ることができる半透明の外観であってよい。従って、容器の半透明性は、容器内への十分な光を可能にし、充填容器が容器又は液体製品のいずれかと異なる色外観を個々に示すように容器の色合い量を液体製品の色合い量と協働できるそのような量又は度合とすることができる。
【００３３】
本発明の更なる実施形態において、不透明な外観は、消費者が製品内を見ることができない又は製品を通して容器の背後の壁を見ることができないものであってよい。
【００３４】
本発明の透明な色付け容器を作製するため、色付け予備形成品が先ず従来の射出成型で形成される。フレーク又はペレット化したＰＥＴ樹脂をホッパーから押出成形機に供給し、そこでＰＥＴ樹脂を加熱し樹脂を流動化させる。代表的なＰＥＴ樹脂は、イーストマン・ケミカル社（Eastman Chemical Company）から入手できる。
【００３５】
ベース樹脂と調和し相溶する色味剤を固体（非限定的な例としては粒状）又は液体の方法のいずれかで添加できる。通常、別のキャリア樹脂を含有するマスターバッチを使用し、所望の色合いが可能になるレベルで色味剤を可塑化樹脂に添加できる。バレルの最後で着色／可塑化樹脂が、射出成形に備えてシューティングポット内に供給される。シューティングポットはシャトル弁を通して充填され、続いて高圧作動油がシューティングポットピストンを前方に駆動し金型を充填する。これにより、押出成形機は、サイクル全体を通して連続的に可塑化ができ、より均質な溶解物のより高い処理量をもたらす。金型は、多くの（例えば、１６−９６）色付け予備形成品を一度に製作するマルチキャビティ金型であってよい。完成した色付け予備形成品が貯蔵され、続いて標準の方法で透明色付け容器内に吹き込まれてよい。吹き込まれた後、続いて透明色付け容器に透明色付け液体製品が充填され、密封されてよい。尚、ＰＥＴは、１−工程射出ブロー成型（非限定例としては予備形成がない）又は２−工程射出ブロー成型（予備成形、再加熱及び吹き込み）等の方法で作製できる。ＰＥＴＧ、ＰＰ、及びＨＤＰＥボトルは、押出ブロー成型できる。
【００３６】
容器の色付けは、充填容器が容器又は液体製品のいずれとも異なる色を個々に示すように液体製品の色合い量と協働するような量又は度合とすべきである。容器に必要な色付け量は、液体製品が示す色合いの度合と製品／容器組合せの所望の最終の色によって決められるものである。
【００３７】
容器の色合いにより生成する色は、特定の光源を使用したＬ、ａ及びｂ値、又は分光光度計を使用した可視光線波長スペクトルに対する透過性指数により定義できる。所望の容器色を提供するため、ひとたびＬ、ａ及びｂ値、又は透過性値が設定されると、容器の製造を分光光度計により監視し、所望の色が一貫して製造されることを確実にする。
【００３８】
本発明の容器は、ボトル若しくはチューブに直接又は印刷を有するラベル若しくはフィルムを使用し印刷を有することができる。非限定的な実施例として前記印刷としては、ブランド名／ロゴマーク、製品名、製品利益、図面、成分名が挙げられる。ラベル／フィルム付き又はラベル／フィルムなしの容器は、その他の特徴、特に美的特徴を有することができる。非限定的な例として前記美的特徴としては、質感、エンボス加工、レンズ状のレンズ、シミュレーションされた動き、かおり（ラベルを引掻く又は引掻かずに活性化される）、蛍光等の色、金属色（３Ｄ様効果を有する又は有しない）、ホログラム、曇った若しく艶消色、色のぼかし、透明性のぼかし、着色した透明／半透明の外観、容器の裏側にあり容器の前側から見ることができる図形が挙げられる。
【００３９】
本発明の実施形態において、１つ以上のラベルが容器本体の外側周辺に付着できる。この開示において、用語「表面」は、記章又は説明書が印刷できる外部に露出されたラベル表面を意味してよい。同様に用語「裏面」又は「内側」は、容器の外側周辺に面するラベルの表面を意味してよい。１つの実施形態において、前側ラベルは、その上に印刷された適切な記章又は説明書を有する無色透明の材料、非限定的な例としてはプラスチックであってよい。無色の前側ラベルは、本発明の色付き透明外観の強調及び強化を容易にできる。
【００４０】
裏側ラベルは、その両側に印刷を有する白色紙、ポリ又はプラスチック紙料とすることができる。紙、ポリ又はプラスチック紙料の裏面への印刷は、ラベルの外側縁部に近づくにつれて徐々に明るくなる連続均一色であってよい。これにより透明な前側ラベル上の印刷を強調する感じの良い背景として機能できる。容器の色付けを引き立たせるように（色付けに賛辞がもらえるように）、裏側ラベルの色は、一貫性がある、すなわち容器の色又は色合いと比較的近いのがよい。
【００４１】
更なる実施形態において、透明又は半透明の容器は、充填包装の外観及び色に貢献し、第３色の色合い外観の効果を有する色を備える裏側ラベルを含むことができる。そのような色を有する前記裏側ラベルも製品型又は製品種類を知らせるのに貢献できる。
【実施例】
【００４２】
以下の実施例は、本発明の範囲内にある実施形態を更に説明し実証する。本発明の範囲から逸脱することなく本発明の多くの変形形態が可能であるため、これらの実施例は単に例示を目的とするものであり、本発明を制限するものとして解釈すべきではない。
【００４３】
充填包装を以下の説明により作製する。
【００４４】
液体シャンプー組成物は、当該技術分野において周知の任意の方法で調製できる。本発明の液体組成物は、任意の既知ないしは別の有効な技術で調製できる。本発明のシャンプー組成物を調製する方法としては、従来の処方及び混合技術が挙げられる。液体シャンプー組成物は、以下を含むことができる。
【００４５】
【表１】
2009511364.tif 000002
【００４６】
本明細書に開示される寸法及び値は、列挙された正確な数値に厳しく制限されるものとして理解されるべきでない。それよりむしろ、特に指定されない限り、各当該寸法は、列挙された値とその値周辺の機能的に同等の範囲の両方を意味することを意図する。例えば、「４０ｍｍ」として開示された寸法は、「約４０ｍｍ」を意味することを意図する。
【００４７】
「発明を実施するための最良の形態」で引用したすべての文献は、関連部分において本明細書に参考として組み込まれるが、いずれの文献の引用も、それが本発明に対する先行技術であることの承認として解釈されるべきではない。本文書における用語の任意の意味又は定義が、編入された参考文献の用語の任意の意味又は定義と食い違う程度まで、本文書のその用語に与えられた意味又は定義が適用されるものとする。
【００４８】
本発明の特定の実施形態を説明及び記述してきたが、本発明の精神及び範囲から逸脱することなく他の様々な変更及び修正を行えることが当業者には明白であろう。したがって、本発明の範囲内にあるそのような全ての変更及び修正を、添付の特許請求の範囲で扱うものとする。
【国際調査報告】
2009511364.tif 000003
2009511364.tif 000004
2009511364.tif 000005
2009511364.tif 000006